(57)【要約】【課題】複数の無線端末が同一周波数の電波を使って通話を行う場合に、例えば、所定地点から所定半径内の地域にある無線機等、所望の相手機が具体的に特定できない場合に、該当する無線機を限定して呼出すことができるようにする。【解決手段】送信側無線端末は、通信条件を選択して、その通信条件情報を発呼信号に含めて送信する（Ｓ３１，Ｓ３２）。受信側無線端末は、着呼に係る送信側無線端末からの受信信号から条件キーを抽出し、自機の現在位置情報を参照する（Ｓ３４，Ｓ３５）。現在位置が条件キーに一致している場合には、受信側無線端末のスピーカから送信側無線端末のユーザの呼掛けの声を流して、送信側無線端末との通信を開始する（Ｓ３６，Ｓ３８）。不一致であれば、通信を切断する（Ｓ３７）。【選択図】図２
2009207051.tif 000002
【特許請求の範囲】
【請求項１】
自機の状況を検出する自機状況検出手段、
無線機の状況に係る通信条件情報を相手機より受信する通信条件情報受信手段、
相手機からの呼出し時に自機の状況が前記通信条件情報の通信条件に合致しているか否かを判定する判定手段、及び
前記判定手段の判定が正であれば前記相手機からの前記呼出しを自機宛てのものとして処理する判断手段、
を備えることを特徴とする無線機。
【請求項２】
自機の状況を検出する自機状況検出手段、
無線機の状況に係る通信条件情報を記憶する通信条件情報記憶手段、
相手機から呼出しに対して自機の状況が前記通信条件情報の通信条件に合致しているか否かを判定する判定手段、及び
前記判定手段の判定が正であれば前記相手機からの呼出しを自機宛てのものとして処理する判断手段、
を備えることを特徴とする無線機。
【請求項３】
前記通信条件情報記憶手段が記憶している通信条件情報は、今回の呼出しの前に相手機からの受信により事前に入手しておいたものであることを特徴とする請求項２記載の無線機。
【請求項４】
前記通信条件情報記憶手段が記憶している通信条件情報は唯一であり、
前記判定手段は、相手機からの呼出し時には通信条件情報を特定する情報は該相手機から受信しないことを特徴とする請求項２又は３記載の無線機。
【請求項５】
各通信条件情報を識別子に対応付けて記憶している前記記憶手段、
相手機からの呼出し時に識別子を受信する識別子受信手段、及び
受信した識別子に対応付けられている通信条件情報の通信条件について判定を行なう前記判定手段、
を備えることを特徴とする請求項２又は３記載の無線機。
【請求項６】
複数の相手機より各相手機の状況に係る状況情報を受信する状況情報受信手段、
状況情報の状況が合致する相手機を検索する検索手段、及び
前記検索手段の検索によりヒットした相手機を個別呼出しにより呼出す呼出し手段、
を備えることを特徴とする無線機。
【請求項７】
自機の状況を検出する自機状況検出手段、
無線機の状況に係る通信条件情報を記憶する通信条件情報記憶手段、
所定の相手機に対して発呼を行う時に自機の状況が前記通信条件情報の通信条件に合致しているか否かを判定する判定手段、及び
前記判定手段の判定が正であれば前記相手機に対する発呼を認容する制御手段、
を備えることを特徴とする無線機。
【請求項８】
自機の状況を検出する自機状況検出ステップ、
無線機の状況に係る通信条件情報を相手機より受信する通信条件情報受信ステップ、
相手機からの呼出し時に自機の状況が前記通信条件情報の通信条件に合致しているか否かを判定する判定ステップ、及び
前記判定ステップにおける判定が正であれば前記相手機からの呼出しを自機宛てのものとして処理する判断ステップ、
を備えることを特徴とする無線機制御方法。
【請求項９】
請求項１〜７のいずれかに記載の無線機の各手段としてコンピュータを機能させるプログラム。
【発明の詳細な説明】
【技術分野】
【０００１】
本発明は、所望の相手機がどれであるかが不明である場合にも該所望の相手機を限定して呼出しを行なうことができるようにした無線機、制御方法及びプログラムに関する。
【背景技術】
【０００２】
従来の無線機は、同一周波数について待受け状態になっているすべての相手機を呼出す一斉同報を行えるようになっている。また、同一周波数を複数のグループで使用している場合に、特定のグループのみや特定の相手機のみを呼出すグループ呼出しや個別呼出しも行うことができるようになっている（例：特許文献１の段落０００２，０００４）。
【０００３】
同一周波数を使用しているグループ又は無線機が複数ある場合に、特定のグループのみ又は特定の相手機のみを呼出すグループ呼出しや個別呼出しを行うためには、各無線機にグループ番号や各無線機ごとのＩＤを予め自機に登録しておき、送信側の無線機が、通信相手の特定のグループ又は特定の無線機のＩＤを指定して呼出しを行ない、これに対して、受信側の無線機は、受信したＩＤが自機に登録してあるＩＤと一致していれば、相手機との通信を開始するようにしている。
【特許文献１】特開２００３−１８０８８号公報
【発明の開示】
【発明が解決しようとする課題】
【０００４】
従来の無線機における個別呼出しは、事前に各無線機にＩＤを登録しておいたり、呼出し側が相手の無線機のＩＤを指定して行わなければならないので、通信希望の相手機が具体的に分かっている場合には、該相手機を個別呼出しにより限定して呼出すことができるが、自分が呼出したい相手機がどの無線機であるかが具体的に分からない場合、例えば、所定地点から所定半径内の地域にある無線機等の場合には、該当する無線機を限定して呼出すことができない。
【０００５】
本発明の目的は、呼出したい無線機が具体的にどの無線機であるかが不明である場合にも、該当する無線機を限定して呼出しを行なうことができるようにした無線機、制御方法及びプログラムを提供することである。
【課題を解決するための手段】
【０００６】
本発明によれば、無線機は、現在位置等について自機の状況を把握しておき、相手機から呼出しがあったら、自機の状況が通信条件に合致しているか否かを判定する。そして、合致していれば、該呼出しは自機宛てのものとして処理を行なう。無線機は、（ａ）通信条件を含む通信条件情報を相手機からの呼出し時に受信してもよいし、（ｂ）通信条件情報を自機の記憶装置に予め記憶しておき、呼出しがあったら、記憶しておいた通信条件情報を参照するようにしてもよい。
【０００７】
本発明によれば、複数の相手機より各無線機の状況に係る状況情報を受信して、各無線機についてのその状況情報を収集しておく。そして、所望の相手機に限定して呼出しを行いたい場合には、収集した状況情報から所望の通信条件に該当する無線機を検索して、ヒットした無線機を個別呼出しにより呼出す。
【０００８】
本発明によれば、所定の相手機を呼出す時に、自機の状況が通信条件に合致しているか否かを判定する。そして、判定が正である場合のみ、該相手機の呼出しを認容する。
【０００９】
本発明の無線機は次のものを備えている。
自機の状況を検出する自機状況検出手段、
無線機の状況に係る通信条件情報を相手機より受信する通信条件情報受信手段、
相手機からの呼出し時に自機の状況が前記通信条件情報の通信条件に合致しているか否かを判定する判定手段、及び
前記判定手段の判定が正であれば前記相手機からの前記呼出しを自機宛てのものとして処理する判断手段。
【００１０】
本発明の無線機は次のものを備えている。
自機の状況を検出する自機状況検出手段、
無線機の状況に係る通信条件情報を記憶する通信条件情報記憶手段、
相手機から呼出しに対して自機の状況が前記通信条件情報の通信条件に合致しているか否かを判定する判定手段、及び
前記判定手段の判定が正であれば前記相手機からの呼出しを自機宛てのものとして処理する判断手段。
【００１１】
本発明の無線機は次のものを備えている。
複数の相手機より各相手機の状況に係る状況情報を受信する状況情報受信手段、
状況情報の状況が合致する相手機を検索する検索手段、及び
前記検索手段の検索によりヒットした相手機を個別呼出しにより呼出す呼出し手段。
【００１２】
本発明の無線機は次のものを備えている。
自機の状況を検出する自機状況検出手段、
無線機の状況に係る通信条件情報を記憶する通信条件情報記憶手段、
所定の相手機に対して発呼を行う時に自機の状況が前記通信条件情報の通信条件に合致しているか否かを判定する判定手段、及び
前記判定手段の判定が正であれば前記相手機に対する発呼を認容する制御手段。
【００１３】
本発明の無線機制御方法は次のステップを備えている。
自機の状況を検出する自機状況検出ステップ、
無線機の状況に係る通信条件情報を相手機より受信する通信条件情報受信ステップ、
相手機からの呼出し時に自機の状況が前記通信条件情報の通信条件に合致しているか否かを判定する判定ステップ、及び
前記判定ステップにおける判定が正であれば前記相手機からの呼出しを自機宛てのものとして処理する判断ステップ。
【００１４】
本発明のプログラムは、前述した本発明の各無線機の各手段としてコンピュータを機能させる。
【発明の効果】
【００１５】
本発明によれば、各無線機の状況が変化し、所望の相手機がどれであるかが具体的に分からない場合にも、該所望の相手機に限定して呼出しを行なうことができる。
【発明を実施するための最良の形態】
【００１６】
図１は無線端末１０の概略ブロック図である。該無線端末１０は、一般には、ユーザに携帯されたり、自動車に搭載されたりする移動局である。無線端末１０は、基地局として固定局であってもよいとする。アンテナ１１は、受信部１２の入力側及び送信部１３の出力側へ接続されている。受信部１２は検波信号を演算処理部１４へ送る。位置情報検出部１５は、ＧＰＳ受信機及び高度センサー等を含み、高度を含む現在位置を検出する。高度センサーは例えば気圧センサーから成る。
【００１７】
演算処理部１４は、受信部１２からの検波信号から通信条件情報を抽出するとともに、位置情報検出部１５からの入力信号から現在位置を検出し、現在位置が通信条件情報の通信条件に一致しているか否か等の判定を実施する。そして、判定に基づいて相手機との通信を開始したり、切断したりする。演算処理部１４は、また、制御部１９へ処理結果を通知したり、制御部１９から制御信号を受けたりする。
【００１８】
操作部２０は、ユーザからの各種の指示操作を受付けるとともに、その操作情報を制御部１９へ送る。通信条件設計部２１は、制御部１９との間でデータを授受し、ユーザが操作部２０において各種通信条件を設計する際に使用するデータが提供するとともに、設計した各種通信条件を保存する。制御部１９は、演算処理部１４、操作部２０及び通信条件設計部２１等からの入力に基づいて送信部１３、演算処理部１４及び通信条件設計部２１へ制御信号を送って、それらの処理を制御する。送信部１３は、制御部１９からの制御信号に基づき発呼及び声に係るＲＦ信号を生成して、アンテナ１１から発射させる。
【００１９】
無線端末１０は、通信条件情報の具体的内容を相手機から受信してもよいし、通信条件情報を１つだけ通信条件設計部２１に保存し、相手機からの着呼に伴い、通信条件設計部２１内の該通信条件情報を参照してもよいし、複数の通信条件情報を識別子に対応付けて通信条件設計部２１に保存しておき、相手機からは通信条件情報の具体的内容を着呼時には受信せず、識別子を受信することとし、受信した識別子に対応付けられている通信条件設計部２１内の通信条件情報を参照してもよい。無線端末１０は、さらに、所定の相手機を呼出す発呼時に、現在位置が通信条件設計部２１に設定されている通信条件に一致するか否かを判定し、判定の正否に基づき送信部１３からの発呼をそれぞれ認容したり、禁止したりする。
【００２０】
以下、図２〜図４では、通信条件に基づき受信側無線端末を限定して呼出す場合の各種実施態様における送信側無線端末及び受信側無線端末の個々の処理及び両者間の処理について説明する。送信側無線端末及び受信側無線端末の具体例は、図１の無線端末１０であり、一斉同報、グループ呼出し及び個別呼出しの機能は従来のものと同様に当然に装備している。
【００２１】
典型的には、送信側無線端末は１つであるのに対し、受信側無線端末は複数存在する。例えば、送信側無線端末は、グループ員に指示を出すリーダーが携帯したり、その自動車に搭載されたり、基地局の無線機であったりする。これに対して、受信側無線端末は、リーダーや基地局から指示を受けるグループ員が携帯したり、その自動車に搭載されたりするものである。しかしながら、グループ員全員の無線端末が通信条件に基づき相手機を限定して呼出すことができるようになっていてもよい。
【００２２】
図２は送信側無線端末が受信側無線端末へ条件キーを送信して該条件キーに合致する受信側無線端末のみを呼出す場合の送信側及び受信側無線端末において実施される処理についてのフローチャートである。
【００２３】
Ｓ３１では、送信側無線端末のユーザは複数ある通信条件の中から所望のものを選択する。典型的には、通信条件は、それに合致する無線端末を呼出したい具体的要求が生じるごとに作成するのではなく、事前に代表的なものを作成しておき、発呼要求が生じたときには、事前作成の通信条件の中から１つを選択する形式を採る。
【００２４】
Ｓ３２では、送信側無線端末が発呼を行う。これを受けて、Ｓ３３では、受信側無線端末に着呼が生じる。送信側無線端末から受信側無線端末への発呼に係る送信信号には、送信側無線端末でＳ３１において選択した通信条件に係る条件キーが含まれる。条件キーは、例えば、テキストで記述され、送信側無線端末は条件キーをテキストデータ形式で受信側無線端末へ送信する。
【００２５】
通信条件の具体例を挙げると、次のとおりである。（ａ）送信側無線端末を中心にして１ｋｍ四方にいる相手機、（ｂ）所定地点から半径５００ｍの地域範囲にいる相手機、（ｃ）第三倉庫の敷地内にいる相手機、（ｄ）○○町にいる相手機、（ｅ）Ａ棟４階にいる相手機．
【００２６】
具体的な条件キーでは、（ａ）の送信側無線端末の位置及び（ｂ）の所定地点は緯度経度をテキストで表したデータで送る。（ａ）の場合、送信側無線端末が固定局であれば、該固定局の位置を受信側無線端末に予め登録しておいて、受信側無線端末はそれを参照することにより、送信側無線端末からの条件キーには受信側無線端末を一々含めることを省略することができる。（ｃ）及び（ｄ）では、「第三倉庫」及び「○○町」は、地点に対して面的な広がりをもつ地域になるので、該地域範囲を緯度経度の範囲で表して、その情報を送信側無線端末から受信側無線端末への条件キーに含めることになる。（ｅ）の場合には、高度条件が含まれるので、受信側無線端末はＧＰＳ受信機の他、高度センサー（例：気圧センサー）を装備する必要がある。
【００２７】
Ｓ３４では、受信側無線端末は、着呼信号に続いて条件キーを受信する。Ｓ３５では、自端末位置情報、すなわち受信側無線端末の現在位置情報を参照する。
【００２８】
受信側無線端末は、自機の現在位置が条件キーに一致するか否かを判定し、判定が正であれば、Ｓ３６において、送信側無線端末のユーザの声をスピーカから流して、受信側無線端末のユーザと送信側無線端末のユーザとの通信を開始させる。判定が否であれば、Ｓ３７において、受信側無線端末は、通信を切断したり、エラーを送信側無線端末に返信する。
【００２９】
送信側無線端末は、Ｓ３６に対して、Ｓ３８において、受信側無線端末からの音声を受信して、受信側無線端末との通話を開始する。Ｓ３７のエラー返信に対しては、Ｓ３９において、受信したエラー返信に伴いエラーを表示器に表示する。
【００３０】
図３は受信側無線端末が条件キーを保持して着呼時に自機の状況を保持中の条件キーと照合して特定の受信側無線端末に限定して呼出す場合の送信側及び受信側の無線端末の処理についてのフローチャートである。受信側無線端末は、条件キーを１つだけ記憶している。図３のＳ３６〜Ｓ３９は図２のＳ３６〜Ｓ３９と同一のステップであるので、説明は省略する。
【００３１】
Ｓ４５では、送信側無線端末は発呼を実施する。これに伴い、Ｓ４６では、受信側無線端末において着呼が生じる。Ｓ４７では、受信側無線端末は、保有している条件キーを参照する。参照した条件キーについて、自機の状況がそれに一致しているか否かを判定し、一致していれば、Ｓ３６へ進み、不一致であれば、Ｓ３７へ進む。
【００３２】
図４は送信側無線端末が自機内で条件キーに一致する受信側無線端末を検索して見つかった受信側無線端末を呼出す場合の送信側及び受信側の無線端末の処理についてのフローチャートである。
【００３３】
Ｓ５５では、各受信側無線端末は特定の１つの無線機としての送信側無線端末又はグループ内の全部の無線端末としての送信側無線端末へ定期的に自機の現在位置を通知する。特定の１つの無線機へ自機の現在位置を通知する場合には、該特定の１つの無線機のＩＤを指定する個別呼出しを利用する。これに対して、グループ内の全部の無線端末へ現在位置を通知する場合には、グループ呼出しが利用される。
【００３４】
Ｓ５５を受けて、送信側無線端末は、Ｓ５６において、各受信側無線端末からの、その位置情報を取得する。この位置情報は送信側無線端末の記憶装置に各受信側無線端末のＩＤに対応付けて記録される。送信側無線端末は、所望の通信条件に一致する受信側無線端末を呼出す必要が生じた場合には、まず、Ｓ５７で通信条件を選択する。送信側無線端末には、複数の通信条件が予め設定されており、送信側無線端末のユーザは、今回、呼出したい受信側無線端末に対応する通信条件をＳ５７で選択することになる。
【００３５】
Ｓ５８では、Ｓ５５で収集した各無線端末の位置情報から、Ｓ５７で選択した通信条件に一致する無線端末を抽出する。Ｓ５８で１つの無線端末も抽出できなかった場合には、その旨、送信側無線端末の表示器に表示する。抽出できた場合には、該当する受信側無線端末を、そのＩＤを指定した個別呼出しにより発呼する。抽出された受信側無線端末が複数ある場合には、その１つを選択して、それに個別呼出しを行うか、順番に個別呼出しにより呼出して、通話することになる。
【００３６】
Ｓ６０では、受信側無線端末に着呼が生じる。受信側無線端末のユーザは、Ｓ６１において、スピーカから出力される送信側無線端末のユーザからの呼掛けの声に対して、該送信側無線端末のユーザとの通信（通話）を開始する。Ｓ６１では、送信側無線端末のスピーカから受信側無線端末のユーザの応答が流れ、送信側無線端末のユーザも受信側無線端末のユーザとの通信（通話）を開始する。
【００３７】
図５は無線機７５のブロック図である。前述の図２の受信側無線端末は無線機７５の一例である。無線機７５、後述の無線機８５（図６）及び無線機１０５（図８）の相手機は、例えば、基地局やリーダーの無線端末である。典型的な無線通信システムでは、相手機と無線機７５，８５又は１０５とは１：複数の関係になっているが、複数体：１や複数：複数の関係であってもよいとする。典型的には、無線機７５，８５又は１０５が属するグループのすべての無線機は同一周波数で待受け状態になっている。また、該同一周波数は、他のグループも使用されている場合がある。
【００３８】
無線機７５は自機状況検出手段７６、通信条件情報受信手段７７、判定手段７８及び判断手段７９を備えている。自機状況検出手段７６は自機の状況を検出する。通信条件情報受信手段７７は無線機の状況に係る通信条件情報を相手機より受信する。判定手段７８は相手機からの呼出し時に自機の状況が通信条件情報の通信条件に合致しているか否かを判定する。判断手段７９は、判定手段７８の判定が正であれば、相手機からの呼出しを自機宛てのものとして処理する。
【００３９】
自機状況検出手段７６、後述の自機状況検出手段８６（図６）及び自機状況検出手段１０６（図８）が検出する自機の状況、並びに通信条件情報受信手段７７が受信する通信条件情報に係る無線機の状況、後述の通信条件情報記憶手段８７（図６）及び通信条件情報記憶手段１０７（図８）が記憶する通信条件情報に係る無線機の状況は、無線機７５の現在位置に限定されない。無線機７５の移動速度、立寄り地点履歴、所定時間前の位置、行き先、バッテリ残量、周囲天候、気温、湿度、荷物重量、乗車人員、連続運転時間等、各種の状況を含めることができる。しかし、無線機７５は、検出の状況の種類に応じて、対応する検出手段の装備を付加する必要がある。現在位置には、平面上の現在位置に限定してもよいし、高度を含む空間上の現在位置とすることができる。
【００４０】
判定手段７８、後述の判定手段８８（図６）及び判定手段１０８（図８）における判定結果の合致には、自機の状況が通信条件情報の通信条件に完全一致するものでだけでなく、実質的に一致するものも含むものとする。判断手段７９及び後述の判断手段８９（図６）において、判定手段７８及び後述の判定手段８８（図６）の判定が正である場合に行う処理であって相手機からの呼出しを自機宛てのものとしての処理とは、例えば相手機との通信の開始である。判断手段７９及び後述の判断手段８９（図６）は、判定手段７８及び後述の判定手段８８（図６）の判定が否である場合には、例えば、相手機からの呼出しを自機宛てのものではないとしての処理を実施する。例えば、相手機との通信を切断する処理が含まれる。
【００４１】
こうして、基地局等の無線端末は、どの無線機７５が今回、呼出すべき無線機であるかが不明である場合にも、該当する無線機７５及び後述の無線機８５（図６）を適切に呼出すことができる。
【００４２】
図６は無線機８５のブロック図である。前述の図３の受信側無線端末は無線機７５の一例である。無線機８５は自機状況検出手段８６、通信条件情報記憶手段８７、判定手段８８及び判断手段８９を備えている。自機状況検出手段８６は識別子受信手段９０を備えることもできる。
【００４３】
自機状況検出手段８６は自機の状況を検出する。通信条件情報記憶手段８７は無線機の状況に係る通信条件情報を記憶する。判定手段８８は相手機から呼出しに対して自機の状況が通信条件情報の通信条件に合致しているか否かを判定する。判断手段８９は、判定手段８８の判定が正であれば、相手機からの呼出しを自機宛てのものとして処理する。
【００４４】
典型的には、通信条件情報記憶手段８７が記憶している通信条件情報は、今回の呼出しの前に相手機からの受信により事前に入手しておいたものである。しかしながら、該通信条件情報は、相手機及び無線機８５のユーザ間の取決めたものを操作者が無線機８５に直接に登録することもできる。
【００４５】
１つの具体例では、通信条件情報記憶手段８７が記憶している通信条件情報は唯一であり、判定手段８８は、相手機からの呼出し時には通信条件情報を特定する情報は該相手機から受信しない。通信条件情報は一義であるので、無線機８５は、相手機から呼出しを受けた際、相手機から通信条件情報を受信しなくても、通信条件情報を特定することができる。
【００４６】
通信条件情報が複数存在する場合、好ましくは、通信条件情報記憶手段８７は、各通信条件情報を識別子に対応付けて記憶している。識別子受信手段９０は、相手機からの呼出し時に識別子を受信する。判定手段８８は、受信した識別子に対応付けられている通信条件情報の通信条件について判定を行なう。
【００４７】
図７は無線機９５のブロック図である。前述の図４の送信側無線端末は無線機９５の一例である。無線機９５は、例えば、基地局の無線機やリーダーの携帯する無線端末である。これに対し、無線機９５の相手機は、例えば自動車に搭載されたり、ユーザに携帯されたりする移動局の無線端末である。無線機９５は状況情報受信手段９６、検索手段９７及び呼出し手段９８を備えている。
【００４８】
状況情報受信手段９６は、複数の相手機より各相手機の状況に係る状況情報を受信する。検索手段９７は、状況情報の状況が合致する相手機を検索する。呼出し手段９８は、検索手段９７の検索によりヒットした相手機を個別呼出しにより呼出す。
【００４９】
ヒットした相手機は複数の場合もある。その場合は、典型的には、無線機９５のユーザは１つを選択するか、それら複数の相手機の一部又は全部を順番に呼出す。
【００５０】
図８は無線機１０５のブロック図である。無線機１０５は自機状況検出手段１０６、通信条件情報記憶手段１０７、判定手段１０８及び制御手段１０９を備えている。
【００５１】
自機状況検出手段１０６は自機の状況を検出する。通信条件情報記憶手段１０７は無線機の状況に係る通信条件情報を記憶する。判定手段１０８は、所定の相手機に対して発呼を行う時に、自機の状況が通信条件情報の通信条件に合致しているか否かを判定する。制御手段１０９は、判定手段１０８の判定が正であれば、相手機に対する発呼を認容する。
【００５２】
こうして、無線機１０５は、自機の現在の状況が通信条件に合致している場合のみ、所定の相手機への発呼を実施することができる。
【００５３】
図９は無線機制御方法１２０のフローチャートである。無線機制御方法１２０は無線機７５（図５）に適用される。Ｓ１２ｌとＳ１２２とは順番を逆にすることができる。
【００５４】
Ｓ１２１では、自機の状況を検出する。Ｓ１２２では、無線機の状況に係る通信条件情報を相手機より受信する。Ｓ１２３では、相手機からの呼出し時に自機の状況が通信条件情報の通信条件に合致しているか否かを判定して、正であれば、Ｓ１２４へ進み、否であれば、Ｓ１２５へ進む。Ｓ１２４では、相手機からの呼出しを自機宛てのものとして処理する。Ｓ１２５では、相手機からの呼出しを自機宛てのものではないとして処理する。
【００５５】
Ｓ１２１〜Ｓ１２４の処理は、無線機７５（図５）の自機状況検出手段７６〜判断手段７９の機能にそれぞれ対応している。したがって、自機状況検出手段７６〜判断手段７９の機能について述べた具体的態様はＳ１２１〜Ｓ１２４の処理についての具体的態様としても適用可能である。
【００５６】
本発明を適用したプログラムは、コンピュータを無線機７５，８５，９５又は１０５の各手段として機能させる。本発明を適用した別のプログラムは、無線機制御方法１２０の各ステップをコンピュータに実行させる。
【００５７】
本明細書は様々な範囲及びレベルの発明を開示している。それら発明は、本明細書で説明した様々な技術的範囲及び具体的レベルの各装置及び各方法だけでなく、当業者の自明の範囲内で、各装置及び各方法から独立の作用、効果を奏する１つ又は複数の要素を抽出したものや、１つ又は複数の要素を自明の範囲で変更したものや、さらに、各装置間及び各方法間で１つ又は複数の要素の組合せを入れ換えたものを含む。
【図面の簡単な説明】
【００５８】
【図１】無線端末の概略ブロック図である。
【図２】送信側無線端末が受信側無線端末へ条件キーを送信して該条件キーに合致する受信側無線端末のみを呼出す場合の送信側及び受信側無線端末において実施される処理についてのフローチャートである。
【図３】受信側無線端末が条件キーを保持して着呼時に自機の状況を保持中の条件キーと照合して特定の受信側無線端末に限定して呼出す場合の送信側及び受信側の無線端末の処理についてのフローチャートである。
【図４】送信側無線端末が自機内で条件キーに一致する受信側無線端末を検索して見つかった受信側無線端末を呼出す場合の送信側及び受信側の無線端末の処理についてのフローチャートである。
【図５】第１の無線機のブロック図である。
【図６】第２の無線機のブロック図である。
【図７】第３の無線機のブロック図である。
【図８】第４の無線機のブロック図である。
【図９】無線機制御方法のフローチャートである。
【符号の説明】
【００５９】
７５：無線機、７６：自機状況検出手段、７７：通信条件情報受信手段、７８：判定手段、７９：判断手段、８５：無線機、８６：自機状況検出手段、８７：通信条件情報記憶手段、８８：判定手段、８９：判断手段、９０：識別子受信手段、９５：無線機、９６：状況情報受信手段、９７：検索手段、９８：呼出し手段、１０５：無線機、１０６：自機状況検出手段、１０７：通信条件情報記憶手段、１０８：判定手段、１０９：制御手段、１２０：無線機制御方法。
【図１】
2009207051.tif 000003
【図２】
2009207051.tif 000004
【図３】
2009207051.tif 000005
【図４】
2009207051.tif 000006
【図５】
2009207051.tif 000007
【図６】
2009207051.tif 000008
【図７】
2009207051.tif 000009
【図８】
2009207051.tif 000010
【図９】
2009207051.tif 000011